(57)【要約】【課題】除湿ロータの除湿量の向上を図りながら、装置全体の大型化を抑制することができる除湿空調装置を提供すること。【解決手段】導入した空気を水分吸着素体２１に通過させることにより、水分吸着素体２１に水分を吸着させて除湿し、除湿した空気を店舗１の内部に供給する除湿処理ユニット３０と、導入した空気を加熱器４１で加熱し、加熱した空気を利用して水分吸着素体２１が吸着した水分を放出させることにより、水分吸着素体２１を再生処理する再生処理ユニット４０とを備えた除湿空調装置１５において、除湿処理ユニット３０は、店舗１の内部に配設された冷凍冷蔵機器７に供給される冷媒の一部を利用して、水分吸着素体２１に向けて流れる除湿前の空気を冷却する冷却手段を備えたものである。【選択図】        図１
2007255882.tif 000002
【特許請求の範囲】
【請求項１】
導入した処理空気を水分吸着素体に通過させることにより、該水分吸着素体に水分を吸着させて除湿し、除湿した処理空気を対象室内に供給する除湿処理ユニットと、
導入した再生空気を加熱器で加熱し、加熱した再生空気を利用して前記水分吸着素体が吸着した水分を放出させることにより、該水分吸着素体を再生処理する再生処理ユニットと
を備えた除湿空調装置において、
前記除湿処理ユニットは、前記対象室内に配設された冷凍冷蔵機器に供給される冷媒の一部を利用して、前記水分吸着素体に向けて流れる除湿前の処理空気を冷却する冷却手段を備えたことを特徴とする除湿空調装置。
【請求項２】
前記冷却手段は、前記冷凍冷蔵機器に内蔵された蒸発器に配管を通じて接続された圧縮機および凝縮器と、該凝縮器で放熱させた冷媒を断熱膨張させる膨張弁と、前記膨張弁で断熱膨張させた冷媒を蒸発させて前記除湿前の処理空気を冷却する冷却器とを順次接続してこれらの間で冷媒を循環させる冷媒循環経路を有して成ることを特徴とする請求項１に記載の除湿空調装置。
【請求項３】
前記冷却手段は、前記冷却器を通過した冷媒の圧力を、前記蒸発器における冷媒の蒸発温度に相当する大きさに調整して、前記圧縮機に帰還させる圧力調整機構を備えたことを特徴とする請求項２に記載の除湿空調装置。
【請求項４】
前記冷却手段は、前記冷凍冷蔵機器に内蔵された蒸発器に配管を通じて接続された圧縮機および凝縮器と、該凝縮器で放熱させた冷媒を断熱膨張させる膨張弁と、前記膨張弁で断熱膨張させた冷媒を蒸発させて前記除湿前の処理空気を冷却する冷却器とを順次接続してこれらの間で冷媒を循環させる冷媒循環経路を有して成り、
前記冷媒循環経路は、
前記凝縮器から前記膨張弁に至る経路と、前記冷却器から前記圧縮機に至る経路とを連通する態様で設けられ、前記凝縮器で放熱させた冷媒を導入して前記圧縮機に向けて送出するためのバイパス経路と、
前記バイパス経路に配設され、開成する場合には冷媒が通過することを許容する一方、閉成する場合には冷媒が通過することを規制するバイパスバルブと、
前記凝縮器から前記膨張弁に至る経路であって、前記バイパス経路との分岐点よりも下流側に配設され、開成する場合には冷媒が通過することを許容する一方、閉成する場合には冷媒が通過することを規制する送出バルブと、
前記冷却器から前記圧縮機に至る経路であって、前記バイパス経路との合流点よりも上流側に配設され、開成する場合には冷媒が通過することを許容する一方、閉成する場合には冷媒が通過することを規制する帰還バルブと
を備えて成ることを特徴とする請求項１に記載の除湿空調装置。
【請求項５】
前記冷媒循環経路は、
前記圧縮機と前記凝縮器との間に配管を通じて設けられ、前記圧縮機で圧縮された冷媒を放熱させて前記加熱器に向けて流れる加熱前の処理空気を補助的に加熱する補助加熱器と、
前記圧縮機から前記補助加熱器に至る経路と、前記補助加熱器から前記凝縮器に至る経路とを連通する態様で設けられ、前記圧縮機で圧縮された冷媒を導入して前記凝縮器に向けて送出するための短絡経路と、
前記短絡経路に配設され、開成する場合には冷媒が通過することを許容する一方、閉成する場合には冷媒が通過することを規制する短絡バルブと、
前記圧縮機から前記補助加熱器に至る経路であって、前記短絡経路との分岐点よりも下流側に配設され、開成する場合には冷媒が通過することを許容する一方、閉成する場合には冷媒が通過することを規制する第１バルブと、
前記補助加熱器から前記凝縮器に至る経路であって、前記短絡経路との合流点よりも上流側に配設され、開成する場合には冷媒が通過することを許容する一方、閉成する場合には冷媒が通過することを規制する第２バルブと
を備えて成ることを特徴とする請求項２または請求項４に記載の除湿空調装置。
【請求項６】
前記バイパスバルブの代わりに通過する冷媒の流量調整が可能な冷媒流量調整バルブを用いたことを特徴とする請求項４または請求項５に記載の除湿空調装置。
【発明の詳細な説明】
【技術分野】
【０００１】
本発明は、除湿空調装置に関し、より詳細には、例えばスーパーマーケット、コンビニエンスストア、ショッピングセンター等の店舗に適用され、室内への外気導入による換気、除湿、空気調和の各機能を有する除湿空調装置の改良に関する。
【背景技術】
【０００２】
従来、例えばスーパーマーケット、コンビニエンスストア、ショッピングセンター等の店舗等に適用される除湿空調装置として、除湿ロータと、除湿処理ユニットと、再生処理ユニットとを備えたものが知られている。
【０００３】
除湿ロータは、いわゆるデシカント除湿機であり、円板状の水分吸着素体が設けられている。水分吸着素体は、２つに仕切られた空気の流路を構成する水分吸着領域と水分放出領域とを交互に通過する態様で回転する。すなわち水分吸着素体が回転すると、水分吸着領域に位置した部分は水分放出領域に移動し、次いで、再び水分吸着領域に移動することを順次繰り返す。
【０００４】
除湿処理ユニットは、処理空気（例えば外気）を取り入れ、取り入れた処理空気を除湿ロータの水分吸着領域に通過させることにより、通過する処理空気の水分を水分吸着素体に吸着させて除湿し、かかる水分吸着領域を通過した処理空気を冷却器にて所定温度に冷却して、冷却した処理空気を対象室内に導入するものである。
【０００５】
再生処理ユニットは、再生空気（例えば外気）を取り入れ、取り入れた再生空気を加熱器で加熱し、加熱した再生空気を除湿ロータの水分放出領域に通過させることにより、水分吸着素体に水分を放出させて乾燥し、かかる水分放出領域を通過した再生空気を外部に送出するものである。
【０００６】
そのような除湿空調装置において、除湿処理ユニットを構成する冷却器は、内部の流路を流れる冷媒が蒸発することにより、該冷却器の周囲を通過する処理空気との間で熱交換が行われて該処理空気を冷却するものである。そして、かかる冷却器への冷媒の供給量を制御することにより、冷却器を通過した後の処理空気の温度を調整するものが提案されている（例えば、特許文献１参照）。
【０００７】
【特許文献１】特開２００４−３１６９７５号公報
【発明の開示】
【発明が解決しようとする課題】
【０００８】
しかしながら、特許文献１に提案されている除湿空調装置では、冷却器への冷媒の供給量を制御して該冷却器を通過した後の処理空気の温度を調整しているが、このような構成では、除湿ロータを通過する以前の処理空気、すなわち除湿ロータの水分吸着領域に向けて流れる除湿前の処理空気に対して冷却等を行うわけではないので、除湿量向上を図ることが困難である。
【０００９】
その一方、除湿空調装置の他の例として、処理空気（外気）を取り入れ、取り入れた処理空気を冷却器にて所定温度に冷却し、冷却した処理空気を除湿ロータの水分吸着領域に通過させることにより除湿し、除湿した処理空気を対象室内に戻すような除湿処理ユニットを備えた除湿空調装置が知られている。
【００１０】
かかる除湿空調装置では、取り入れた処理空気を所定温度に冷却した後に除湿ロータの水分吸着領域に通過させているので、水分吸着領域に向けて流れる空気の相対湿度を上昇させることができ、これにより除湿ロータによる水分吸着量を増大させることができ、除湿量の向上を図ることができる。
【００１１】
ところが、このような除湿空調装置では、冷却器の冷熱源として除湿空調装置専用の冷凍機、すなわち対象室内を冷却するための冷却ユニットとは別個独立した圧縮機を用いていた。そのため、除湿空調装置専用の冷凍機の設置場所等が必要になり、装置全体の大型化を招来する虞れがあった。
【００１２】
本発明は、上記実情に鑑みて、除湿ロータの除湿量の向上を図りながら、装置全体の大型化を抑制することができる除湿空調装置を提供することを目的とする。
【課題を解決するための手段】
【００１３】
上記目的を達成するために、本発明の請求項１に係る除湿空調装置は、導入した処理空気を水分吸着素体に通過させることにより、該水分吸着素体に水分を吸着させて除湿し、除湿した処理空気を対象室内に供給する除湿処理ユニットと、導入した再生空気を加熱器で加熱し、加熱した再生空気を利用して前記水分吸着素体が吸着した水分を放出させることにより、該水分吸着素体を再生処理する再生処理ユニットとを備えた除湿空調装置において、前記除湿処理ユニットは、前記対象室内に配設された冷凍冷蔵機器に供給される冷媒の一部を利用して、前記水分吸着素体に向けて流れる除湿前の処理空気を冷却する冷却手段を備えたことを特徴とする。
【００１４】
また、本発明の請求項２に係る除湿空調装置は、上述した請求項１において、前記冷却手段は、前記冷凍冷蔵機器に内蔵された蒸発器に配管を通じて接続された圧縮機および凝縮器と、該凝縮器で放熱させた冷媒を断熱膨張させる膨張弁と、前記膨張弁で断熱膨張させた冷媒を蒸発させて前記除湿前の処理空気を冷却する冷却器とを順次接続してこれらの間で冷媒を循環させる冷媒循環経路を有して成ることを特徴とする。
【００１５】
また、本発明の請求項３に係る除湿空調装置は、上述した請求項２において、前記冷却手段は、前記冷却器を通過した冷媒の圧力を、前記蒸発器における冷媒の蒸発温度に相当する大きさに調整して、前記圧縮機に帰還させる圧力調整機構を備えたことを特徴とする。
【００１６】
また、本発明の請求項４に係る除湿空調装置は、上述した請求項１において、前記冷却手段は、前記冷凍冷蔵機器に内蔵された蒸発器に配管を通じて接続された圧縮機および凝縮器と、該凝縮器で放熱させた冷媒を断熱膨張させる膨張弁と、前記膨張弁で断熱膨張させた冷媒を蒸発させて前記除湿前の処理空気を冷却する冷却器とを順次接続してこれらの間で冷媒を循環させる冷媒循環経路を有して成り、前記冷媒循環経路は、前記凝縮器から前記膨張弁に至る経路と、前記冷却器から前記圧縮機に至る経路とを連通する態様で設けられ、前記凝縮器で放熱させた冷媒を導入して前記圧縮機に向けて送出するためのバイパス経路と、前記バイパス経路に配設され、開成する場合には冷媒が通過することを許容する一方、閉成する場合には冷媒が通過することを規制するバイパスバルブと、前記凝縮器から前記膨張弁に至る経路であって、前記バイパス経路との分岐点よりも下流側に配設され、開成する場合には冷媒が通過することを許容する一方、閉成する場合には冷媒が通過することを規制する送出バルブと、前記冷却器から前記圧縮機に至る経路であって、前記バイパス経路との合流点よりも上流側に配設され、開成する場合には冷媒が通過することを許容する一方、閉成する場合には冷媒が通過することを規制する帰還バルブとを備えて成ることを特徴とする。
【００１７】
また、本発明の請求項５に係る除湿空調装置は、上述した請求項２または請求項４において、前記冷媒循環経路は、前記圧縮機と前記凝縮器との間に配管を通じて設けられ、前記圧縮機で圧縮された冷媒を放熱させて前記加熱器に向けて流れる加熱前の処理空気を補助的に加熱する補助加熱器と、前記圧縮機から前記補助加熱器に至る経路と、前記補助加熱器から前記凝縮器に至る経路とを連通する態様で設けられ、前記圧縮機で圧縮された冷媒を導入して前記凝縮器に向けて送出するための短絡経路と、前記短絡経路に配設され、開成する場合には冷媒が通過することを許容する一方、閉成する場合には冷媒が通過することを規制する短絡バルブと、前記圧縮機から前記補助加熱器に至る経路であって、前記短絡経路との分岐点よりも下流側に配設され、開成する場合には冷媒が通過することを許容する一方、閉成する場合には冷媒が通過することを規制する第１バルブと、前記補助加熱器から前記凝縮器に至る経路であって、前記短絡経路との合流点よりも上流側に配設され、開成する場合には冷媒が通過することを許容する一方、閉成する場合には冷媒が通過することを規制する第２バルブとを備えて成ることを特徴とする。
【００１８】
また、本発明の請求項６に係る除湿空調装置は、上述した請求項４または請求項５において、前記バイパスバルブの代わりに通過する冷媒の流量調整が可能な冷媒流量調整バルブを用いたことを特徴とする。
【発明の効果】
【００１９】
本発明に係る除湿空調装置によれば、冷却手段が、対象室内に配設された冷凍冷蔵機器に供給される冷媒の一部を利用して、水分吸着素体に向けて流れる除湿前の処理空気を冷却するので、当該処理空気の相対湿度を上昇させて水分吸着素体での吸着水分量を増加させることができ、これにより除湿ロータの除湿量の向上を図ることができ、しかも除湿空調装置専用の冷凍機を必要としないため、装置全体の大型化を抑制することができるという効果を奏する。
【発明を実施するための最良の形態】
【００２０】
以下に添付図面を参照して、本発明に係る除湿空調装置の好適な実施の形態について詳細に説明する。尚、本実施の形態では、除湿空調装置の対象室は、例えばスーパーマーケット、コンビニエンスストア、ショッピングセンター等の店舗であるとして説明する。
【００２１】
＜実施の形態１＞
図１は、本発明の実施の形態１における除湿空調装置の構成を模式的に示した模式図である。この図１において、除湿空調装置１５は、店舗１の内部への外気導入による換気、除湿、空気調和を行うものである。対象となる店舗１には、空調室内器２および冷凍冷蔵機器７が設けてある。
【００２２】
空調室内器２は、圧縮機３、凝縮器４および膨張弁５と冷媒配管を通じて接続されて冷媒循環経路Ｌ１を形成している。圧縮機３は、冷媒を圧縮して高温高圧の状態にするものである。凝縮器４は、圧縮機３より供給された冷媒、すなわち圧縮機３で高温高圧の状態に圧縮された冷媒を凝縮させて液化するものである。膨張弁５は、凝縮器４より供給された冷媒、すなわち凝縮器４で凝縮した冷媒を断熱膨張させる、つまり該冷媒を減圧して低温低圧の状態に調整するものである。空調室内器２は、膨張弁５で低温低圧の状態に断熱膨張させた冷媒を蒸発させるものである。この冷媒が蒸発することにより、空調室内器２の周辺領域は、熱が奪われて冷却される。尚、図中の符号６は、開閉可能な二方弁であり、開成状態においては、凝縮器４から膨張弁５へ冷媒が流れることを許容する一方、閉成状態においては、凝縮器４から膨張弁５へ冷媒が流れることを規制するものである。
【００２３】
このような冷媒循環経路Ｌ１では、圧縮機３で圧縮された冷媒が、凝縮器４で凝縮した後、開成状態となっている二方弁６を介して膨張弁５に至る。膨張弁５に至った冷媒は、該膨張弁５で減圧されて断熱膨張し、低温低圧の状態になり、空調室内器２に送出される。空調室内器２に送出された冷媒は、該空調室内器２の周辺領域から熱を与えられて蒸発し、その後、圧縮機３に帰還する。つまり、冷媒は、冷媒循環経路Ｌ１を循環する。冷媒が冷媒循環経路Ｌ１を循環することにより、空調室内器２の周辺領域、すなわち店舗１の内部雰囲気は、冷媒が蒸発することにより熱を奪われて冷却される。
【００２４】
冷凍冷蔵機器７は、例えばショーケース（図示せず）のようなものであり、内部に陳列された商品等を冷却するためのものである。この冷凍冷蔵機器７には、蒸発器８が内蔵されており、かかる蒸発器８は、圧縮機９、凝縮器１０および膨張弁１２と冷媒配管を通じて接続されて冷媒循環経路Ｌ２を形成している。圧縮機９は、冷媒を圧縮して高温高圧の状態にするものである。凝縮器１０は、圧縮機９より供給された冷媒、すなわち圧縮機９で高温高圧の状態に圧縮された冷媒を凝縮させて液化するものである。膨張弁１２は、凝縮器１０より供給された冷媒、すなわち凝縮器１０で凝縮した冷媒を断熱膨張させる、すなわち該冷媒を減圧して低温低圧の状態に調整するものである。蒸発器８は、膨張弁１２で低温低圧の状態に断熱膨張させた冷媒を所定の流路内で蒸発させるものである。この冷媒が蒸発することにより、冷凍冷蔵機器７の内部に陳列された商品等は、熱が奪われて冷却される。尚、図中の符号１４は、開閉可能な二方弁であり、開成状態においては、凝縮器１０から膨張弁１２へ冷媒が流れることを許容する一方、閉成状態においては、凝縮器１０から膨張弁１２へ冷媒が流れることを規制するものである。
【００２５】
このような冷媒循環経路Ｌ２では、圧縮機９で圧縮された冷媒が、凝縮器１０で凝縮した後、開成状態となっている二方弁１４を介して膨張弁１２に至る。膨張弁１２に至った冷媒は、該膨張弁１２で減圧されて断熱膨張し、低温低圧の状態になり、蒸発器８に送出される。蒸発器８に送出された冷媒は、該蒸発器８の周辺領域から熱を与えられて蒸発し、その後、圧縮機９に帰還する。つまり、冷媒は、冷媒循環経路Ｌ２を循環する。冷媒が冷媒循環経路Ｌ２を循環することにより、蒸発器８の周辺領域、すなわち陳列された商品等は、冷媒が蒸発することにより熱を奪われて冷却される。
【００２６】
そのような店舗１に適用される除湿空調装置１５は、除湿ロータ２０と、除湿処理ユニット３０と、再生処理ユニット４０とを備えて構成してある。
【００２７】
除湿ロータ２０は、いわゆるデシカント除湿機であり、円板状に形成した例えば紙やゼオライト系等の水分吸着素体２１が設けてある。水分吸着素体２１は、モータＭ（図２参照）の駆動により回転するものである。より詳細に説明すると、水分吸着素体２１は、２つに仕切られた空気の流路を構成する水分吸着領域３２と水分放出領域４２とを交互に通過する態様で回転するものである。すなわち水分吸着素体２１が回転すると、水分吸着領域３２に位置した部分は水分放出領域４２に移動し、次いで、再び水分吸着領域３２に移動することを順次繰り返すことになる。
【００２８】
除湿処理ユニット３０は、導入した外気（空気）を除湿して店舗１の内部に導入するためのものであり、除湿処理経路３００を有している。
【００２９】
除湿処理経路３００は、処理空気取入口３０１から取り入れた処理空気（外気）を、処理空気吐出口３０２を通じて店舗１の内部に導くための経路であり、冷却器３１、除湿ロータ２０の水分吸着領域３２および除湿処理ファン３３が処理空気取入口３０１側から順に設けてある。
【００３０】
冷却器３１は、処理空気取入口３０１を通じて取り入れた処理空気を冷却するものである。この冷却器３１は、一端が冷媒配管を通じて電子膨張弁３１０に接続され、他端が冷媒配管および分岐管１３を通じて圧縮機９に接続してある。この電子膨張弁３１０は、冷媒配管および分岐管１１を通じて凝縮器１０に接続してある。つまり、冷却器３１は、上述した冷凍冷蔵機器７とともに冷媒循環経路Ｌ２を構成する圧縮機９および凝縮器１０と、電子膨張弁３１０とに対して冷媒配管を通じて冷媒循環経路Ｌ３を形成しており、冷却手段を構成している。
【００３１】
ここに、電子膨張弁３１０は、凝縮器１０より分岐管１１を介して供給された冷媒、すなわち凝縮器１０で放熱させた冷媒を断熱膨張させる、つまり該冷媒を減圧して低温低圧の状態に調整するものである。この電子膨張弁３１０は、後述する除湿動作制御部５０により駆動される。冷却器３１は、電子膨張弁３１０で低温低圧の状態に断熱膨張させた冷媒を蒸発させるものである。この冷媒が蒸発することにより、冷却器３１の周辺を通過する処理空気は、熱が奪われて冷却される。尚、図中の符号３１１は、開閉可能な二方弁（第１送出バルブ）であり、開成状態においては、凝縮器１０から分岐管１１を介して電子膨張弁３１０へ冷媒が流れることを許容する一方、閉成状態においては、凝縮器１０から分岐管１１を介して電子膨張弁３１０へ冷媒が流れることを規制するものである。
【００３２】
除湿ロータ２０の水分吸着領域３２は、通過する処理空気の水分を水分吸着素体２１に吸着させる領域である。これにより冷却器３１で冷却された処理空気は、水分吸着領域３２で除湿される。
【００３３】
除湿処理ファン３３は、店舗１の内部に処理空気を導入するための送風源となるものである。従って、除湿処理ファン３３により送風された処理空気は、処理空気吐出口３０２を通じて店舗１の内部に供給される。
【００３４】
上記除湿処理経路３００には、還気取入口３０３が設けてある。還気取入口３０３は、除湿ロータ２０の水分吸着領域３２の下流側となる該水分吸着領域３２と除湿処理ファン３３との間に設けてあり、還気導入路Ｒを通じて店舗１の内部の空気を取り入れるための開口である。この還気導入路Ｒは、店舗１の内部に設けられた空気取入口（図示せず）を通じて該店舗１の内部の空気を取り入れ、還気取入口３０３まで移送するための通路である。
【００３５】
再生処理ユニット４０は、導入した再生空気（外気）を加熱して、除湿ロータ２０の水分放出領域４２に通過させることにより、該除湿ロータ２０を構成する水分吸着素体２１に水分を放出させるものであり、再生処理経路４００を有している。
【００３６】
再生処理経路４００は、除湿処理経路３００に並設してあり、再生空気取入口４０１から取り入れた再生空気を、再生空気吐出口４０２を通じて外部に送出するための経路であり、加熱器４１、除湿ロータ２０の水分放出領域４２および再生処理ファン４３が再生空気取入口４０１側から順に設けてある。
【００３７】
加熱器４１は、再生空気取入口４０１を通じて取り入れた再生空気を加熱するものである。この加熱器４１は、配管を通じて加熱源４１ａおよびポンプ４１ｂに接続することにより、例えば湯等の熱媒体が循環する熱媒体循環経路Ｌ４を形成している。加熱源４１ａは、熱媒体循環経路Ｌ４を流れる湯を加熱するものである。ポンプ４１ｂは、湯が熱媒体循環経路Ｌ４を流れるための動力源となるものである。加熱源４１ａで加熱された湯がポンプ４１ｂの作用によって熱媒体循環経路Ｌ４を流れることにより、加熱器４１の周辺を通過する再生空気は加熱される。
【００３８】
除湿ロータ２０の水分放出領域４２は、加熱器４１で加熱された再生空気が通過することにより、水分吸着素体２１に水分を放出させて乾燥させるための領域である。再生処理ファン４３は、水分放出領域４２を通過した再生空気を再生空気吐出口４０２を通じて外部に送出するものであり、再生空気を送風する送風源となる。
【００３９】
図２は、除湿空調装置の制御系を示したものである。この図２に示すように、除湿空調装置１５は、除湿動作制御部５０を備えている。除湿動作制御部５０は、店舗１の内部を換気等すべき旨の運転指令が発せられた場合、予めメモリ５１に格納してあるプログラムやデータにしたがって、除湿空調装置各部の制御を行うものである。以下、除湿空調装置１５が店舗１の内部を換気、除湿、空気調和する場合について説明する。尚、以下においては、空調室内器２および冷凍冷蔵機器７のそれぞれに接続された各圧縮機３，９は駆動し、かつ各二方弁６，１４も開成状態で、冷媒循環経路Ｌ１，Ｌ２を冷媒が循環しているものとして説明する。
【００４０】
運転指令が発せられると、除湿動作制御部５０は、モータＭ、除湿処理ファン３３、再生処理ファン４３、加熱源４１ａおよびポンプ４１ｂのそれぞれに駆動指令を出力する。これによりモータＭが駆動して水分吸着素体２１が回転するとともに、除湿処理ファン３３および再生処理ファン４３が駆動する。また、加熱源４１ａで加熱された湯がポンプ４１ｂの作用により熱媒体循環経路Ｌ４を流れる。
【００４１】
また、除湿動作制御部５０は、電子膨張弁３１０を予め決められた開度となるように開成させるとともに、第１送出バルブ（二方弁）３１１も開成させる。このように第１送出バルブ（二方弁）３１１が開成され、電子膨張弁３１０が予め決められた開度となるように開成されると、圧縮機９で圧縮された冷媒は、凝縮器１０で凝縮した後、分岐管１１を介して電子膨張弁３１０に至る。電子膨張弁３１０に至った冷媒は、該電子膨張弁３１０で減圧されて断熱膨張し、低温低圧の状態になり、冷却器３１に送出される。冷却器３１に送出された冷媒は、該冷却器３１の周辺領域から熱を与えられて蒸発し、その後、分岐管１３を介して圧縮機９に帰還する。すなわち圧縮機９で圧縮され、凝縮器１０で凝縮した冷媒の一部は、分岐管１１を介して電子膨張弁３１０および冷却器３１を流れ、分岐管１３を介して圧縮機９に戻っており、冷媒循環経路Ｌ３を循環している。
【００４２】
除湿処理ファン３３が駆動することにより、処理空気が処理空気取入口３０１を通じて取り入れられ、取り入れられた処理空気は、冷却器３１に至る。冷却器３１に至った処理空気は、該冷却器３１の内部を流れる冷媒が蒸発することにより冷却され、水分吸着領域３２に至る。その一方、除湿処理ファン３３の駆動により、店舗１の内部の室内空気が空気取入口を通じて取り入れられ、取り入れられた室内空気は、還気導入路Ｒを通過して還気取入口３０３に至る。
【００４３】
水分吸着領域３２において、処理空気に含有される水分が水分吸着素体２１の対応する部分に吸着され、処理空気の湿度が低下する。すなわち処理空気は除湿される。また、水分吸着素体２１の水分吸着領域３２に対応する部分に吸着された水分は、水分吸着素体２１の回転とともに、水分吸着領域３２から水分放出領域４２に移動する。
【００４４】
水分吸着領域３２で除湿された処理空気は、除湿処理ファン３３の駆動により下流側に流れ、還気導入路Ｒを通過し還気取入口３０３に至った室内空気と混合して混合拡散されて所定の温湿度に調整された後、混合空気として処理空気吐出口３０２を通じて店舗１の内部に供給される。
【００４５】
一方、再生処理ファン４３が駆動することにより、再生空気取入口４０１を通じて再生空気が取り入れられ、取り入れられた再生空気は、加熱器４１に至る。加熱器４１に至った再生空気は、加熱器４１の内部を流れる湯により加熱されて高温度の空気になり、水分放出領域４２に至る。
【００４６】
水分放出領域４２において、加熱器４１で加熱された再生空気が通過することにより、水分吸着素体２１の対応する部分から水分が放出され、該再生空気の湿度が上昇する。その後、水分放出領域４２を通過した再生空気は、再生処理ファン４３の駆動により、再生空気吐出口４０２を通じて外部に送出される。
【００４７】
水分吸着素体２１の水分放出領域４２に対応する部分は、水分が放出されて乾燥するとともに、温度が上昇する。この温度が上昇し、かつ乾燥した水分吸着素体２１の対応部分は、水分吸着素体２１の回転とともに、水分放出領域４２から水分吸着領域３２に移動し、上述した動作を繰り返す。
【００４８】
つまり、上記除湿空調装置１５において、除湿処理ユニット３０は、導入した処理空気を冷却器３１で冷却し、冷却した処理空気を水分吸着領域３２に通過させることにより水分吸着素体２１に水分を吸着させて除湿し、除湿した処理空気に還気導入路Ｒを通じて別個に導入した店舗１の内部の室内空気を混合して該店舗１の内部に供給している。また、再生処理ユニット４０は、導入した再生空気を加熱して水分放出領域４２に通過させることにより水分吸着素体２１に水分を放出させている。
【００４９】
そして、除湿処理ユニット３０では、導入した処理空気を冷却器３１で冷却することにより、処理空気の相対湿度を上昇させることができる。そのため、相対湿度が高い方が除湿量が高くなる紙やゼオライト等の特性を利用して水分吸着素体２１での吸着水分量を増加させることができる。
【００５０】
また、水分吸着領域３２を通過する処理空気は、除湿される際に発生する吸着熱により温度が上昇することになる。ところが、かかる外気は、水分吸着領域３２の下流側で、還気導入路Ｒを通じて導入した室内空気と混合されることで、所定の温度に冷却することができる。このように、店舗１の内部に処理空気を供給するので換気を行うことができ、しかも所定の温度に冷却・除湿された空気を供給するので店舗１の内部を良好に除湿することができるとともに適温に調整することができる。
【００５１】
更に、冷却器３１は、冷凍冷蔵機器７の蒸発器８と共通の圧縮機９および凝縮器１０から供給された冷媒の一部を利用して除湿前の処理空気を冷却するので、除湿空調装置専用の冷凍機、すなわち圧縮機を要しない。
【００５２】
以上説明したように、本発明の実施の形態１における除湿空調装置１５によれば、除湿前の処理空気を冷却器３１で冷却することにより、当該処理空気の相対湿度を上昇させて水分吸着素体２１での吸着水分量を増加させることができるので、除湿ロータ２０の除湿量の向上を図ることができる。また、冷却器３１は、冷凍冷蔵機器７に供給される冷媒の一部を利用して除湿前の処理空気を冷却することにより、除湿空調装置専用の冷凍機を必要としないため、装置全体の大型化を抑制することができる。
【００５３】
また、除湿空調装置１５によれば、冷凍冷蔵機器７を構成する蒸発器８の負荷が小さい場合には、圧縮機９の余剰冷熱を有効に活用できるため、圧縮機９の運転効率が良好な状態で運転させることができ、装置全体の省エネルギー化を図ることができる。
【００５４】
更に、除湿空調装置１５によれば、水分吸着領域３２の下流側で除湿した処理空気と別個に導入した店舗１の内部空気とを混合させるようにしたので、除湿ロータ２０での除湿処理空気量の増大化を招来する虞れがなく、これにより除湿ロータ２０での除湿処理空気量の増大なく除湿した所定の温度に冷却された空気を店舗１の内部へ供給することができる。
【００５５】
＜実施の形態２＞
図３および図４は、それぞれ本発明の実施の形態２における除湿空調装置を示したものであり、図３は、除湿空調装置の構成を模式的に示した模式図であり、図４は、除湿空調装置の制御系を示したブロック図である。尚、上述した実施の形態１における除湿空調装置１５と同一の構成を有するものには同一の符号を付してその説明を省略する。
【００５６】
本発明の実施の形態２における除湿空調装置１５′は、除湿ロータ２０と、除湿処理ユニット３０と、再生処理ユニット４０とを備えて構成してあり、除湿処理ユニット３０の除湿処理経路３００に設けられた冷却器３１は、処理空気取入口３０１を通じて取り入れた処理空気を冷却するものである。この冷却器３１は、一端が冷媒配管を通じて電子膨張弁３１０に接続され、他端が冷媒配管を通じて圧力調整弁（圧力調整機構）３１２に接続してある。この圧力調整弁３１２は、冷媒配管および分岐管１３を通じて圧縮機９に接続してある。圧力調整弁３１２は、後述する除湿動作制御部６０により駆動が制御され、冷却器３１を通過した冷媒の圧力を、冷凍冷蔵機器７の蒸発器８における冷媒の蒸発温度に相当する大きさに調整するものである。つまり、冷却器３１は、上述した冷凍冷蔵機器７とともに冷媒循環経路Ｌ２を構成する圧縮機９および凝縮器１０と、電子膨張弁３１０と、圧力調整弁３１２とに対して冷媒配管を通じて冷媒循環経路Ｌ３′を形成しており、冷却手段を構成している。このように本発明の実施の形態２における除湿空調装置１５′は、上述した実施の形態１における除湿空調装置１５に比して、冷却器３１と分岐管１３との間に圧力調整弁３１２を設けた点が相違している。
【００５７】
そして、除湿空調装置１５′は、図４に示すように、除湿動作制御部６０を備えている。除湿動作制御部６０は、店舗１の内部を換気等すべき旨の運転指令が発せられた場合、予めメモリ６１に格納してあるプログラムやデータにしたがって、除湿空調装置各部の制御を行うものである。以下、除湿空調装置１５′が店舗１の内部を換気、除湿、空気調和する場合について説明する。尚、以下においては、空調室内器２および冷凍冷蔵機器７のそれぞれに接続された各圧縮機３，９は駆動し、かつ各二方弁６，１４も開成状態で、冷媒循環経路Ｌ１，Ｌ２を冷媒が循環しているものとして説明する。
【００５８】
運転指令が発せられると、除湿動作制御部６０は、モータＭ、除湿処理ファン３３、再生処理ファン４３、加熱源４１ａおよびポンプ４１ｂのそれぞれに駆動指令を出力する。これによりモータＭが駆動して水分吸着素体２１が回転するとともに、除湿処理ファン３３および再生処理ファン４３が駆動する。また、加熱源４１ａで加熱された湯がポンプ４１ｂの作用により熱媒体循環経路Ｌ４を流れる。
【００５９】
また、除湿動作制御部６０は、電子膨張弁３１０を予め決められた開度となるように開成させるとともに、第１送出バルブ（二方弁）３１１も開成させ、さらに圧力調整弁３１２を予め決められた開度に駆動させる。これによれば、圧縮機９で圧縮された冷媒は、凝縮器１０で凝縮した後、分岐管１１を介して電子膨張弁３１０に至る。電子膨張弁３１０に至った冷媒は、該電子膨張弁３１０で減圧されて断熱膨張し、低温低圧の状態になり、冷却器３１に送出される。冷却器３１に送出された冷媒は、該冷却器３１の周辺領域から熱を与えられて蒸発し、その後、圧力調整弁３１２に至る。圧力調整弁３１２に至った冷媒は、圧力が冷凍冷蔵機器７の蒸発器８における冷媒の蒸発温度に相当する大きさに調整され、その後、分岐管１３を介して圧縮機９に帰還する。すなわち圧縮機９で圧縮され、凝縮器１０で凝縮した冷媒の一部は、分岐管１１を介して電子膨張弁３１０および冷却器３１を流れ、圧力調整弁３１２で所定の圧力に調整された後に分岐管１３を介して圧縮機９に戻っており、冷媒循環経路Ｌ３′を循環している。
【００６０】
除湿処理ファン３３が駆動することにより、処理空気が処理空気取入口３０１を通じて取り入れられ、取り入れられた処理空気は、冷却器３１に至る。冷却器３１に至った処理空気は、該冷却器３１の内部を流れる冷媒が蒸発することにより冷却され、水分吸着領域３２に至る。その一方、除湿処理ファン３３の駆動により、店舗１の内部の室内空気が空気取入口を通じて取り入れられ、取り入れられた室内空気は、還気導入路Ｒを通過して還気取入口３０３に至る。
【００６１】
水分吸着領域３２において、処理空気に含有される水分が水分吸着素体２１の対応する部分に吸着され、処理空気の湿度が低下する。すなわち処理空気は除湿される。また、水分吸着素体２１の水分吸着領域３２に対応する部分に吸着された水分は、水分吸着素体２１の回転とともに、水分吸着領域３２から水分放出領域４２に移動する。
【００６２】
水分吸着領域３２で除湿された処理空気は、除湿処理ファン３３の駆動により下流側に流れ、還気導入路Ｒを通過し還気取入口３０３に至った室内空気と混合して混合拡散されて所定の温湿度に調整された後、混合空気として処理空気吐出口３０２を通じて店舗１の内部に供給される。
【００６３】
一方、再生処理ファン４３が駆動することにより、再生空気取入口４０１を通じて再生空気が取り入れられ、取り入れられた再生空気は、加熱器４１に至る。加熱器４１に至った再生空気は、加熱器４１の内部を流れる湯により加熱されて高温度の空気になり、水分放出領域４２に至る。
【００６４】
水分放出領域４２において、加熱器４１で加熱された再生空気が通過することにより、水分吸着素体２１の対応する部分から水分が放出され、該再生空気の湿度が上昇する。その後、水分放出領域４２を通過した再生空気は、再生処理ファン４３の駆動により、再生空気吐出口４０２を通じて外部に送出される。
【００６５】
水分吸着素体２１の水分放出領域４２に対応する部分は、水分が放出されて乾燥するとともに、温度が上昇する。この温度が上昇し、かつ乾燥した水分吸着素体２１の対応部分は、水分吸着素体２１の回転とともに、水分放出領域４２から水分吸着領域３２に移動し、上述した動作を繰り返す。
【００６６】
つまり、上記除湿空調装置１５′において、除湿処理ユニット３０は、導入した処理空気を冷却器３１で冷却し、冷却した処理空気を水分吸着領域３２に通過させることにより水分吸着素体２１に水分を吸着させて除湿し、除湿した処理空気に還気導入路Ｒを通じて別個に導入した店舗１の内部の室内空気を混合して該店舗１の内部に供給している。また、再生処理ユニット４０は、再生空気を加熱して水分放出領域４２に通過させることにより水分吸着素体２１に水分を放出させている。
【００６７】
そして、除湿処理ユニット３０では、導入した処理空気を冷却器３１で冷却することにより、処理空気の相対湿度を上昇させることができる。そのため、相対湿度が高い方が除湿量が高くなる紙やゼオライト等の特性を利用して水分吸着素体２１での吸着水分量を増加させることができる。
【００６８】
また、水分吸着領域３２を通過する処理空気は、除湿される際に発生する吸着熱により温度が上昇することになる。ところが、かかる処理空気は、水分吸着領域３２の下流側で、還気導入路Ｒを通じて導入した室内空気と混合されることで、所定の温度に冷却することができる。このように、店舗１の内部に処理空気を供給するので換気を行うことができ、しかも所定の温度に冷却・除湿された処理空気を供給するので店舗１の内部を良好に除湿することができるとともに適温に調整することができる。
【００６９】
更に、冷却器３１は、冷凍冷蔵機器７の蒸発器８と共通の圧縮機９および凝縮器１０から供給された冷媒の一部を利用して除湿前の処理空気を冷却するので、除湿空調装置専用の冷凍機、すなわち圧縮機を要しない。
【００７０】
また更に、除湿処理ユニット３０では、圧力調整弁３１２を通じて、冷却器３１を通過した冷媒の圧力を冷凍冷蔵機器７の蒸発器８における冷媒の蒸発温度に相当する大きさに調整している。このことについて具体的に説明すると、冷却器３１での冷媒の蒸発温度が０℃に設定され、例えば野菜、魚、肉等の商品を陳列する冷凍冷蔵機器７の蒸発器８における冷媒の蒸発温度が−１０℃に設定されているものとすると、除湿処理ユニット３０では、圧力調整弁３１２を通じて、冷却器３１を通過した冷媒の圧力、すなわち蒸発温度が０℃に相当する圧力を、蒸発温度が−１０℃に相当する大きさに調整している。これにより蒸発温度が高く設定された冷却器３１での冷媒の圧力が、蒸発温度が低く設定された蒸発器８での冷媒の圧力に影響されて低下してしまう虞れがない。
【００７１】
以上説明したように、本発明の実施の形態２における除湿空調装置１５′によれば、除湿前の処理空気を冷却器３１で冷却することにより、当該処理空気の相対湿度を上昇させて水分吸着素体２１での吸着水分量を増加させることができるので、除湿ロータ２０の除湿量の向上を図ることができる。また、冷却器３１は、冷凍冷蔵機器７に供給される冷媒の一部を利用して除湿前の処理空気を冷却することにより、除湿空調装置専用の冷凍機を必要としないため、装置全体の大型化を抑制することができる。更に、圧力調整弁３１２を通じて、冷却器３１を通過した冷媒の圧力を、冷凍冷蔵機器７の蒸発器８における冷媒の蒸発温度に相当する大きさに調整することにより、蒸発温度が高く設定された冷却器３１での冷媒の圧力が、蒸発温度が低く設定された蒸発器８での冷媒の圧力に影響されて低下してしまう虞れがないので、冷却器３１と蒸発器８との蒸発温度帯が異なる場合にも、該冷却器３１での熱交換量が低減されてしまうことを有効に防止することができる。
【００７２】
上記除湿空調装置１５′によれば、冷凍冷蔵機器７を構成する蒸発器８の負荷が小さい場合には、圧縮機９の余剰冷熱を有効に活用できるため、圧縮機９の運転効率が良好な状態で運転させることができ、装置全体の省エネルギー化を図ることができる。
【００７３】
また、除湿空調装置１５′によれば、水分吸着領域３２の下流側で除湿した処理空気と別個に導入した店舗１の内部空気とを混合させるようにしたので、除湿ロータ２０での除湿処理空気量の増大化を招来する虞れがなく、これにより除湿ロータ２０での除湿処理空気量の増大なく除湿した所定の温度に冷却された空気を店舗１の内部へ供給することができる。
【００７４】
＜実施の形態３＞
図５および図６は、それぞれ本発明の実施の形態３における除湿空調装置を示したものであり、図５は、除湿空調装置の構成を模式的に示した模式図であり、図６は、除湿空調装置の制御系を示したブロック図である。尚、上述した実施の形態１および実施の形態２における除湿空調装置１５，１５′と同一の構成を有するものには同一の符号を付して説明する。
【００７５】
ここに例示する除湿空調装置１５０は、店舗１の内部への外気導入による換気、除湿、空気調和を行うものである。対象となる店舗１には、空調室内器２および冷凍冷蔵機器７が設けてある。
【００７６】
空調室内器２は、圧縮機３、凝縮器４および膨張弁５と冷媒配管を通じて接続されて冷媒循環経路Ｌ１を形成している。圧縮機３は、冷媒を圧縮して高温高圧の状態にするものである。凝縮器４は、圧縮機３より供給された冷媒、すなわち圧縮機３で高温高圧の状態に圧縮された冷媒を凝縮させて液化するものである。膨張弁５は、凝縮器４より供給された冷媒、すなわち凝縮器４で凝縮した冷媒を断熱膨張させる、つまり該冷媒を減圧して低温低圧の状態に調整するものである。空調室内器２は、膨張弁５で低温低圧の状態に断熱膨張させた冷媒を蒸発させるものである。この冷媒が蒸発することにより、空調室内器２の周辺領域は、熱が奪われて冷却される。尚、図中の符号６は、開閉可能な二方弁であり、開成状態においては、凝縮器４から膨張弁５へ冷媒が流れることを許容する一方、閉成状態においては、凝縮器４から膨張弁５へ冷媒が流れることを規制するものである。
【００７７】
このような冷媒循環経路Ｌ１では、圧縮機３で圧縮された冷媒が、凝縮器４で凝縮した後、開成状態となっている二方弁６を介して膨張弁５に至る。膨張弁５に至った冷媒は、該膨張弁５で減圧されて断熱膨張し、低温低圧の状態になり、空調室内器２に送出される。空調室内器２に送出された冷媒は、該空調室内器２の周辺領域から熱を与えられて蒸発し、その後圧縮機３に帰還する。つまり冷媒は、冷媒循環経路Ｌ１を循環する。冷媒が冷媒循環経路Ｌ１を循環することにより、空調室内器２の周辺領域、すなわち店舗１の内部雰囲気は、冷媒が蒸発することにより熱を奪われて冷却される。
【００７８】
冷凍冷蔵機器７は、例えばショーケース（図示せず）のようなものであり、内部に陳列された商品等を冷却するためのものである。この冷凍冷蔵機器７には、蒸発器８が内蔵されており、かかる蒸発器８は、圧縮機９、凝縮器１０および膨張弁１２と冷媒配管を通じて接続されて冷媒循環経路Ｌ２を形成している。圧縮機９は、冷媒を圧縮して高温高圧の状態にするものである。凝縮器１０は、圧縮機９より供給された冷媒、すなわち圧縮機９で高温高圧の状態に圧縮された冷媒を凝縮させて液化するものである。膨張弁１２は、凝縮器１０より供給された冷媒、すなわち凝縮器１０で凝縮した冷媒を断熱膨張させる、すなわち該冷媒を減圧して低温低圧の状態に調整するものである。蒸発器８は、膨張弁１２で低温低圧の状態に断熱膨張させた冷媒を所定の流路内で蒸発させるものである。この冷媒が蒸発することにより、冷凍冷蔵機器７の内部に陳列された商品等は、熱が奪われて冷却される。尚、図中の符号１４は、開閉可能な二方弁であり、開成状態においては、凝縮器１０から膨張弁１２へ冷媒が流れることを許容する一方、閉成状態においては、凝縮器１０から膨張弁１２へ冷媒が流れることを規制するものである。
【００７９】
このような冷媒循環経路Ｌ２では、圧縮機９で圧縮された冷媒が、凝縮器１０で凝縮した後、開成状態となっている二方弁１４を介して膨張弁１２に至る。膨張弁１２に至った冷媒は、該膨張弁１２で減圧されて断熱膨張し、低温低圧の状態になり、蒸発器８に送出される。蒸発器８に送出された冷媒は、該蒸発器８の周辺領域から熱を与えられて蒸発し、その後、圧縮機９に帰還する。つまり、冷媒は、冷媒循環経路Ｌ２を循環する。冷媒が冷媒循環経路Ｌ２を循環することにより、蒸発器８の周辺領域、すなわち陳列された商品等は、冷媒が蒸発することにより熱を奪われて冷却される。
【００８０】
そのような店舗１に適用される除湿空調装置１５０は、除湿ロータ２０と、除湿処理ユニット３０と、再生処理ユニット４０とを備えて構成してある。
【００８１】
除湿ロータ２０は、いわゆるデシカント除湿機であり、円板状に形成した例えば紙やゼオライト系等の水分吸着素体２１が設けてある。水分吸着素体２１は、モータＭ（図６参照）の駆動により回転するものである。より詳細に説明すると、水分吸着素体２１は、２つに仕切られた空気の流路を構成する水分吸着領域３２と水分放出領域４２とを交互に通過する態様で回転するものである。すなわち水分吸着素体２１が回転すると、水分吸着領域３２に位置した部分は水分放出領域４２に移動し、次いで再び水分吸着領域３２に移動することを順次繰り返すことになる。
【００８２】
除湿処理ユニット３０は、導入した処理空気（外気）を除湿して店舗１の内部に導入するためのものであり、除湿処理経路３００を有している。
【００８３】
除湿処理経路３００は、処理空気取入口３０１から取り入れた処理空気を、処理空気吐出口３０２を通じて店舗１の内部に導くための経路であり、冷却器３１、除湿ロータ２０の水分吸着領域３２および除湿処理ファン３３が処理空気取入口３０１側から順に設けてある。
【００８４】
冷却器３１は、処理空気取入口３０１を通じて取り入れた処理空気を冷却するものである。この冷却器３１は、一端が冷媒配管を通じて電子膨張弁３１０に接続され、他端が冷媒配管および分岐管１３を通じて圧縮機９に接続してある。この電子膨張弁３１０は、冷媒配管および分岐管１１を通じて凝縮器１０に接続してある。つまり、冷却器３１は、上述した冷凍冷蔵機器７とともに冷媒循環経路Ｌ２を構成する圧縮機９および凝縮器１０と、電子膨張弁３１０とに対して冷媒配管を通じて冷媒循環経路Ｌ５を形成しており、冷却手段を構成している。
【００８５】
ここに、電子膨張弁３１０は、凝縮器１０より分岐管１１を介して供給された冷媒、すなわち凝縮器１０で放熱させた冷媒を断熱膨張させる、つまり該冷媒を減圧して低温低圧の状態に調整するものである。この電子膨張弁３１０は、後述する除湿動作制御部７０（図６参照）により駆動される。冷却器３１は、電子膨張弁３１０で低温低圧の状態に断熱膨張させた冷媒を蒸発させるものである。この冷媒が蒸発することにより、冷却器３１の周辺を通過する処理空気は、熱が奪われて冷却される。
【００８６】
このような冷媒循環経路Ｌ５には、第１バイパス経路（バイパス経路）１６０、第１バイパスバルブ（バイパスバルブ）１６１、第１送出バルブ（送出バルブ）３１１および第１帰還バルブ（帰還バルブ）３１３を備えている。
【００８７】
第１バイパス経路１６０は、凝縮器１０から電子膨張弁３１０に至る経路、すなわち分岐管１１から電子膨張弁３１０に至る経路と、冷却器３１から圧縮機９に至る経路、すなわち冷却器３１から分岐管１３に至る経路とを連通する態様で設けてある。この第１バイパス経路１６０は、凝縮器１０で放熱させた冷媒を導入し、分岐管１３を介して圧縮機９に向けて送出するためのものである。
【００８８】
第１バイパスバルブ１６１は、第１バイパス経路１６０に配設され、開成する場合には冷媒が通過することを許容する一方、閉成する場合には冷媒が通過することを規制するものである。
【００８９】
第１送出バルブ３１１は、凝縮器１０から電子膨張弁３１０に至る経路、すなわち分岐管１１から電子膨張弁３１０に至る経路であって、第１バイパス経路１６０との分岐点よりも下流側に配設され、開成する場合には冷媒が通過することを許容する一方、閉成する場合には冷媒が通過することを規制するものである。
【００９０】
第１帰還バルブ３１３は、冷却器３１から圧縮機９に至る経路、すなわち冷却器３１から分岐管１３に至る経路であって、第１バイパス経路１６０との合流点よりも上流側に配設され、開成する場合には冷媒が通過することを許容する一方、閉成する場合には冷媒が通過することを規制するものである。
【００９１】
これら第１バイパスバルブ１６１、第１送出バルブ３１１および第１帰還バルブ３１３は、それぞれ後述する除湿動作制御部７０から指令が与えられることにより開閉動作するものである。また、上記冷媒循環経路Ｌ５において、冷却器３１から第１帰還バルブ３１３に至る経路の途中には、圧力調整弁（圧力調整機構）３１２が設けてある。圧力調整弁３１２は、冷却器３１を通過した冷媒の圧力を、冷凍冷蔵機器７の蒸発器８における冷媒の蒸発温度に相当する大きさに調整するものである。
【００９２】
除湿ロータ２０の水分吸着領域３２は、通過する処理空気の水分を水分吸着素体２１に吸着させる領域である。これにより冷却器３１で冷却された処理空気は、水分吸着領域３２で除湿される。
【００９３】
除湿処理ファン３３は、店舗１の内部に処理空気を導入するための送風源となるものである。従って、除湿処理ファン３３により送風された処理空気は、処理空気吐出口３０２を通じて店舗１の内部に供給される。
【００９４】
上記除湿処理経路３００には、還気取入口３０３が設けてある。還気取入口３０３は、除湿ロータ２０の水分吸着領域３２の下流側となる該水分吸着領域３２と除湿処理ファン３３との間に設けてあり、還気導入路Ｒを通じて店舗１の内部の空気を取り入れるための開口である。この還気導入路Ｒは、店舗１の内部に設けられた空気取入口（図示せず）を通じて該店舗１の内部の空気を取り入れ、還気取入口３０３まで移送するための通路である。
【００９５】
再生処理ユニット４０は、導入した再生空気（外気）を加熱して、除湿ロータ２０の水分放出領域４２に通過させることにより、該除湿ロータ２０を構成する水分吸着素体２１に水分を放出させるものであり、再生処理経路４００を有している。
【００９６】
再生処理経路４００は、除湿処理経路３００に並設してあり、再生空気取入口４０１から取り入れた再生空気を、再生空気吐出口４０２を通じて外部に送出するための経路であり、加熱器４１、除湿ロータ２０の水分放出領域４２および再生処理ファン４３が再生空気取入口４０１側から順に設けてある。
【００９７】
加熱器４１は、再生空気取入口４０１を通じて取り入れた再生空気を加熱するものである。この加熱器４１は、配管を通じて加熱源４１ａおよびポンプ４１ｂに接続することにより、例えば湯等の熱媒体が循環する熱媒体循環経路Ｌ４を形成している。加熱源４１ａは、熱媒体循環経路Ｌ４を流れる湯を加熱するものである。ポンプ４１ｂは、湯が熱媒体循環経路Ｌ４を流れるための動力源となるものである。加熱源４１ａで加熱された湯がポンプ４１ｂの作用によって熱媒体循環経路Ｌ４を流れることにより、加熱器４１の周辺を通過する再生空気は加熱される。
【００９８】
除湿ロータ２０の水分放出領域４２は、加熱器４１で加熱された再生空気が通過することにより、水分吸着素体２１に水分を放出させて乾燥させるための領域である。
【００９９】
再生処理ファン４３は、水分放出領域４２を通過した再生空気を再生空気吐出口４０２を通じて外部に送出するものであり、再生空気を送風する送風源となる。
【０１００】
図６は、除湿空調装置の制御系を示したものである。この図６に示すように、除湿空調装置１５０は、除湿動作制御部７０を備えている。除湿動作制御部７０は、店舗１の内部を換気等すべき旨の運転指令が発せられた場合、予めメモリ７１に格納してあるプログラムやデータにしたがって、除湿空調装置各部の制御を行うものである。以下、除湿空調装置１５０が店舗１の内部を換気、除湿、空気調和する場合について説明する。尚、以下においては、空調室内器２および冷凍冷蔵機器７のそれぞれに接続された各圧縮機３，９は駆動し、かつ各二方弁６，１４も開成状態で、冷媒循環経路Ｌ１を冷媒が循環しているものとして説明する。
【０１０１】
運転指令が発せられると、除湿動作制御部７０は、モータＭ、除湿処理ファン３３、再生処理ファン４３、加熱源４１ａおよびポンプ４１ｂのそれぞれに駆動指令を出力する。これによりモータＭが駆動して水分吸着素体２１が回転するとともに、除湿処理ファン３３および再生処理ファン４３が駆動する。また、加熱源４１ａで加熱された湯がポンプ４１ｂの作用により熱媒体循環経路Ｌ４を流れる。
【０１０２】
また、除湿動作制御部７０は、電子膨張弁３１０を予め決められた開度となるように開成させるとともに、第１送出バルブ３１１および第１帰還バルブ３１３も開成させる一方、第１バイパスバルブ１６１を必要に応じて開閉させる。
【０１０３】
第１バイパスバルブ１６１が閉成される場合に、第１送出バルブ３１１および第１帰還バルブ３１３が開成され、かつ電子膨張弁３１０が予め決められた開度となるように開成されると、圧縮機９で圧縮された冷媒は、凝縮器１０で凝縮した後、分岐管１１を介して電子膨張弁３１０に至る。つまり、第１バイパス経路１６０を通過することなく電子膨張弁３１０に至る。電子膨張弁３１０に至った冷媒は、該電子膨張弁３１０で減圧されて断熱膨張し低温低圧の状態になり、冷却器３１に送出される。冷却器３１に送出された冷媒は、該冷却器３１の周辺領域から熱を与えられて蒸発し、その後圧力調整弁３１２に至る。圧力調整弁３１２に至った冷媒は、圧力が冷凍冷蔵機器７の蒸発器８における冷媒の蒸発温度に相当する大きさに調整され、その後、分岐管１３を介して圧縮機９に帰還する。すなわち圧縮機９で圧縮され、凝縮器１０で凝縮した冷媒の一部は、分岐管１１を介して電子膨張弁３１０および冷却器３１を流れ、圧力調整弁３１２で所定の圧力に調整された後に分岐管１３を介して圧縮機９に戻っており、冷媒循環経路Ｌ５を循環している。
【０１０４】
その一方、第１バイパスバルブ１６１が開成される場合には、圧縮機９で圧縮され、かつ凝縮器１０で凝縮し、分岐管１１を通過した冷媒のうち一部は、第１バイパス経路１６０を通過し、分岐管１３を経て圧縮機９に帰還する。つまり、第１バイパスバルブ１６１を開閉させることにより、冷却器３１を通過する冷媒量を調整することができる。
【０１０５】
除湿処理ファン３３が駆動することにより、処理空気が処理空気取入口３０１を通じて取り入れられ、取り入れられた処理空気は、冷却器３１に至る。冷却器３１に至った処理空気は、該冷却器３１の内部を流れる冷媒が蒸発することにより冷却され、水分吸着領域３２に至る。その一方、除湿処理ファン３３の駆動により、店舗１の内部の室内空気が空気取入口を通じて取り入れられ、取り入れられた室内空気は、還気導入路Ｒを通過して還気取入口３０３に至る。
【０１０６】
水分吸着領域３２において、処理空気に含有される水分が水分吸着素体２１の対応する部分に吸着され、処理空気の湿度が低下する。すなわち処理空気は除湿される。また、水分吸着素体２１の水分吸着領域３２に対応する部分に吸着された水分は、水分吸着素体２１の回転とともに、水分吸着領域３２から水分放出領域４２に移動する。
【０１０７】
水分吸着領域３２で除湿された処理空気は、除湿処理ファン３３の駆動により下流側に流れ、還気導入路Ｒを通過し還気取入口３０３に至った室内空気と混合して混合拡散されて所定の温湿度に調整された後、混合空気として処理空気吐出口３０２を通じて店舗１の内部に供給される。
【０１０８】
一方、再生処理ファン４３が駆動することにより、再生空気取入口４０１を通じて再生空気が取り入れられ、取り入れられた再生空気は、加熱器４１に至る。加熱器４１に至った再生空気は、加熱器４１の内部を流れる湯により加熱されて高温度の空気になり、水分放出領域４２に至る。
【０１０９】
水分放出領域４２において、加熱器４１で加熱された再生空気が通過することにより、水分吸着素体２１の対応する部分から水分が放出され、該再生空気の湿度が上昇する。その後、水分放出領域４２を通過した再生空気は、再生処理ファン４３の駆動により、再生空気吐出口４０２を通じて外部に送出される。
【０１１０】
水分吸着素体２１の水分放出領域４２に対応する部分は、水分が放出されて乾燥するとともに、温度が上昇する。この温度が上昇し、かつ乾燥した水分吸着素体２１の対応部分は、水分吸着素体２１の回転とともに水分放出領域４２から水分吸着領域３２に移動し、上述した動作を繰り返す。
【０１１１】
つまり、上記除湿空調装置１５０において、除湿処理ユニット３０は、導入した処理空気を冷却器３１で冷却し、冷却した処理空気を水分吸着領域３２に通過させることにより水分吸着素体２１に水分を吸着させて除湿し、除湿した処理空気に還気導入路Ｒを通じて別個に導入した店舗１の内部の室内空気を混合して該店舗１の内部に供給している。また、再生処理ユニット４０は、導入した再生空気を加熱して水分放出領域４２に通過させることにより水分吸着素体２１に水分を放出させている。
【０１１２】
そして、除湿処理ユニット３０では、導入した処理空気を冷却器３１で冷却することにより、処理空気の相対湿度を上昇させることができる。そのため、相対湿度が高い方が除湿量が高くなる紙やゼオライト等の特性を利用して水分吸着素体２１での吸着水分量を増加させることができる。
【０１１３】
また、水分吸着領域３２を通過する処理空気は、除湿される際に発生する吸着熱により温度が上昇することになる。ところが、かかる外気は、水分吸着領域３２の下流側で、還気導入路Ｒを通じて導入した室内空気と混合されることで、所定の温度に冷却することができる。このように、店舗１の内部に処理空気を供給するので換気を行うことができ、しかも所定の温度に冷却・除湿された空気を供給するので店舗１の内部を良好に除湿することができるとともに適温に調整することができる。
【０１１４】
更に、冷却器３１は、冷凍冷蔵機器７の蒸発器８と共通の圧縮機９および凝縮器１０から供給された冷媒の一部を利用して除湿前の処理空気を冷却するので、除湿空調装置専用の冷凍機、すなわち圧縮機を要しない。
【０１１５】
ところで、除湿空調装置１５０のメンテナンス時等のような場合に除湿空調装置１５０の運転停止指令が発せられると、除湿動作制御部７０は、モータＭ、除湿処理ファン３３、再生処理ファン４３、加熱源４１ａおよびポンプ４１ｂのそれぞれに駆動停止指令を出力する。これによりモータＭ、除湿処理ファン３３、再生処理ファン４３、加熱源４１ａおよびポンプ４１ｂそれぞれの駆動が停止する。
【０１１６】
また、除湿動作制御部７０は、第１送出バルブ３１１、第１帰還バルブ３１３および第１バイパスバルブ１６１も閉成させる。このように第１送出バルブ３１１、第１帰還バルブ３１３および第１バイパスバルブ１６１が閉成されると、圧縮機９で圧縮された冷媒は、凝縮器１０で凝縮した後、分岐管１１および開成状態となっている二方弁１４を通じて膨張弁１２に至る。膨張弁１２に至った冷媒は、該膨張弁１２で減圧されて断熱膨張し、低温低圧の状態になり、蒸発器８に送出される。蒸発器８に送出された冷媒は、該蒸発器８の周辺領域から熱を与えられて蒸発し、その後、圧縮機９に帰還する。つまり、冷媒は、冷媒循環経路Ｌ２のみを循環する。
【０１１７】
従って、除湿空調装置１５０のメンテナンス時のように該除湿空調装置１５０の運転を停止する場合には、第１送出バルブ３１１、第１帰還バルブ３１３および第１バイパスバルブ１６１を閉成させることにより、圧縮機９で圧縮され、かつ凝縮器１０で凝縮した冷媒を、すべて冷媒循環経路Ｌ２のみに循環させることができる。これにより除湿空調装置１５０の運転を停止する必要がある場合にも圧縮機９を停止させる必要はない。この結果、除湿空調装置１５０の運転にかかわらず、圧縮機９を常時運転させておくことが可能になり、冷凍冷蔵機器７に陳列させた商品を継続して冷却することができ、当該商品の鮮度低下等を招来する虞れがない。換言すると、冷凍冷蔵機器７の運転に関係なく、除湿空調装置１５０のメンテナンスを行うことが可能になる。
【０１１８】
また、除湿空調装置１５０によれば、第１バイパスバルブ１６１を開閉させることにより、冷却器３１を通過する冷媒量を調整することができるので、要求される能力に応じて冷却器３１を通過する冷媒量を制御することが可能になる。
【０１１９】
更に、除湿空調装置１５０によれば、除湿前の処理空気を冷却器３１で冷却することにより、当該処理空気の相対湿度を上昇させて水分吸着素体２１での吸着水分量を増加させることができるので、除湿ロータ２０の除湿量の向上を図ることができる。また、冷却器３１は、冷凍冷蔵機器７に供給される冷媒の一部を利用して除湿前の処理空気を冷却することにより、除湿空調装置専用の冷凍機を必要としないため、装置全体の大型化を抑制することができる。
【０１２０】
また、除湿空調装置１５０によれば、冷凍冷蔵機器７を構成する蒸発器８の負荷が小さい場合には、圧縮機９の余剰冷熱を有効に活用できるため、圧縮機９の運転効率が良好な状態で運転させることができ、装置全体の省エネルギー化を図ることができる。
【０１２１】
また更に、除湿空調装置１５０によれば、水分吸着領域３２の下流側で除湿した処理空気と別個に導入した店舗１の内部空気とを混合させるようにしたので、除湿ロータ２０での除湿処理空気量の増大化を招来する虞れがなく、これにより除湿ロータ２０での除湿処理空気量の増大なく除湿した所定の温度に冷却された空気を店舗１の内部へ供給することができる。
【０１２２】
＜実施の形態４＞
図７および図８は、それぞれ本発明の実施の形態４における除湿空調装置を示したものであり、図７は、除湿空調装置の構成を模式的に示した模式図であり、図８は、除湿空調装置の制御系を示したブロック図である。尚、上述した実施の形態１〜３における除湿空調装置１５，１５′，１５０と同一の構成を有するものには同一の符号を付して説明する。
【０１２３】
ここに例示する除湿空調装置１５１は、店舗１の内部への外気導入による換気、除湿、空気調和を行うものである。対象となる店舗１には、空調室内器２および冷凍冷蔵機器７が設けてある。
【０１２４】
空調室内器２は、圧縮機３、凝縮器４および膨張弁５と冷媒配管を通じて接続されて冷媒循環経路Ｌ１を形成している。圧縮機３は、冷媒を圧縮して高温高圧の状態にするものである。凝縮器４は、圧縮機３より供給された冷媒、すなわち圧縮機３で高温高圧の状態に圧縮された冷媒を凝縮させて液化するものである。膨張弁５は、凝縮器４より供給された冷媒、すなわち凝縮器４で凝縮した冷媒を断熱膨張させる、つまり該冷媒を減圧して低温低圧の状態に調整するものである。空調室内器２は、膨張弁５で低温低圧の状態に断熱膨張させた冷媒を蒸発させるものである。この冷媒が蒸発することにより、空調室内器２の周辺領域は、熱が奪われて冷却される。尚、図中の符号６は、開閉可能な二方弁であり、開成状態においては、凝縮器４から膨張弁５へ冷媒が流れることを許容する一方、閉成状態においては、凝縮器４から膨張弁５へ冷媒が流れることを規制するものである。
【０１２５】
このような冷媒循環経路Ｌ１では、圧縮機３で圧縮された冷媒が、凝縮器４で凝縮した後、開成状態となっている二方弁６を介して膨張弁５に至る。膨張弁５に至った冷媒は、該膨張弁５で減圧されて断熱膨張し、低温低圧の状態になり、空調室内器２に送出される。空調室内器２に送出された冷媒は、該空調室内器２の周辺領域から熱を与えられて蒸発し、その後、圧縮機３に帰還する。つまり、冷媒は、冷媒循環経路Ｌ１を循環する。冷媒が冷媒循環経路Ｌ１を循環することにより、空調室内器２の周辺領域、すなわち店舗１の内部雰囲気は、冷媒が蒸発することにより熱を奪われて冷却される。
【０１２６】
冷凍冷蔵機器７は、例えばショーケース（図示せず）のようなものであり、内部に陳列された商品等を冷却するためのものである。この冷凍冷蔵機器７には、蒸発器８が内蔵されており、かかる蒸発器８は、圧縮機９、凝縮器１０および膨張弁１２と冷媒配管を通じて接続されて冷媒循環経路Ｌ２を形成している。圧縮機９は、冷媒を圧縮して高温高圧の状態にするものである。凝縮器１０は、圧縮機９より供給された冷媒、すなわち圧縮機９で高温高圧の状態に圧縮された冷媒を凝縮させて液化するものである。膨張弁１２は、凝縮器１０より供給された冷媒、すなわち凝縮器１０で凝縮した冷媒を断熱膨張させる、すなわち該冷媒を減圧して低温低圧の状態に調整するものである。蒸発器８は、膨張弁１２で低温低圧の状態に断熱膨張させた冷媒を所定の流路内で蒸発させるものである。この冷媒が蒸発することにより、冷凍冷蔵機器７の内部に陳列された商品等は、熱が奪われて冷却される。尚、図中の符号１４は、開閉可能な二方弁であり、開成状態においては、凝縮器１０から膨張弁１２へ冷媒が流れることを許容する一方、閉成状態においては、凝縮器１０から膨張弁１２へ冷媒が流れることを規制するものである。
【０１２７】
このような冷媒循環経路Ｌ２では、圧縮機９で圧縮された冷媒が、凝縮器１０で凝縮した後、開成状態となっている二方弁１４を介して膨張弁１２に至る。膨張弁１２に至った冷媒は、該膨張弁１２で減圧されて断熱膨張し、低温低圧の状態になり、蒸発器８に送出される。蒸発器８に送出された冷媒は、該蒸発器８の周辺領域から熱を与えられて蒸発し、その後圧縮機９に帰還する。つまり冷媒は、冷媒循環経路Ｌ２を循環する。冷媒が冷媒循環経路Ｌ２を循環することにより、蒸発器８の周辺領域、すなわち陳列された商品等は、冷媒が蒸発することにより熱を奪われて冷却される。
【０１２８】
そのような店舗１に適用される除湿空調装置１５１は、除湿ロータ２０と、除湿処理ユニット３０と、再生処理ユニット４０′とを備えて構成してある。
【０１２９】
除湿ロータ２０は、いわゆるデシカント除湿機であり、円板状に形成した例えば紙やゼオライト系等の水分吸着素体２１が設けてある。水分吸着素体２１は、モータＭ（図８参照）の駆動により回転するものである。より詳細に説明すると、水分吸着素体２１は、２つに仕切られた空気の流路を構成する水分吸着領域３２と水分放出領域４２とを交互に通過する態様で回転するものである。すなわち水分吸着素体２１が回転すると、水分吸着領域３２に位置した部分は水分放出領域４２に移動し、次いで、再び水分吸着領域３２に移動することを順次繰り返すことになる。
【０１３０】
除湿処理ユニット３０は、導入した外気（空気）を除湿して店舗１の内部に導入するためのものであり、除湿処理経路３００を有している。
【０１３１】
除湿処理経路３００は、処理空気取入口３０１から取り入れた処理空気（外気）を、処理空気吐出口３０２を通じて店舗１の内部に導くための経路であり、冷却器３１、除湿ロータ２０の水分吸着領域３２および除湿処理ファン３３が処理空気取入口３０１側から順に設けてある。
【０１３２】
冷却器３１は、処理空気取入口３０１を通じて取り入れた処理空気を冷却するものである。この冷却器３１は、一端が冷媒配管を通じて電子膨張弁３１０に接続され、他端が冷媒配管および分岐管１３を通じて圧縮機９に接続してある。この電子膨張弁３１０は、冷媒配管および分岐管１１を通じて凝縮器１０に接続してある。つまり、冷却器３１は、上述した冷凍冷蔵機器７とともに冷媒循環経路Ｌ２を構成する圧縮機９および凝縮器１０と、電子膨張弁３１０とに対して冷媒配管を通じて冷媒循環経路Ｌ６を形成しており、冷却手段を構成している。
【０１３３】
ここに、電子膨張弁３１０は、凝縮器１０より分岐管１１を介して供給された冷媒、すなわち凝縮器１０で放熱させた冷媒を断熱膨張させる、つまり該冷媒を減圧して低温低圧の状態に調整するものである。この電子膨張弁３１０は、後述する除湿動作制御部８０により駆動される。冷却器３１は、電子膨張弁３１０で低温低圧の状態に断熱膨張させた冷媒を蒸発させるものである。この冷媒が蒸発することにより、冷却器３１の周辺を通過する処理空気は、熱が奪われて冷却される。尚、冷媒循環経路Ｌ６についての詳細は後述する。
【０１３４】
除湿ロータ２０の水分吸着領域３２は、通過する処理空気の水分を水分吸着素体２１に吸着させる領域である。これにより冷却器３１で冷却された処理空気は、水分吸着領域３２で除湿される。
【０１３５】
除湿処理ファン３３は、店舗１の内部に処理空気を導入するための送風源となるものである。従って、除湿処理ファン３３により送風された処理空気は、処理空気吐出口３０２を通じて店舗１の内部に供給される。
【０１３６】
上記除湿処理経路３００には、還気取入口３０３が設けてある。還気取入口３０３は、除湿ロータ２０の水分吸着領域３２の下流側となる該水分吸着領域３２と除湿処理ファン３３との間に設けてあり、還気導入路Ｒを通じて店舗１の内部の空気を取り入れるための開口である。この還気導入路Ｒは、店舗１の内部に設けられた空気取入口（図示せず）を通じて該店舗１の内部の空気を取り入れ、還気取入口３０３まで移送するための通路である。
【０１３７】
再生処理ユニット４０′は、導入した再生空気（外気）を加熱して、除湿ロータ２０の水分放出領域４２に通過させることにより、該除湿ロータ２０を構成する水分吸着素体２１に水分を放出させるものであり、再生処理経路４００を有している。
【０１３８】
再生処理経路４００は、除湿処理経路３００に並設してあり、再生空気取入口４０１から取り入れた再生空気を、再生空気吐出口４０２を通じて外部に送出するための経路であり、補助加熱器４４、加熱器４１、除湿ロータ２０の水分放出領域４２および再生処理ファン４３が再生空気取入口４０１側から順に設けてある。
【０１３９】
補助加熱器４４は、再生空気取入口４０１を通じて取り入れた再生空気を補助的に加熱するものである。この補助加熱器４４は、一端が冷媒配管を通じて上記圧縮機９に接続されるとともに、他端が冷媒配管を通じて上記凝縮器１０に接続されて上記冷媒循環経路Ｌ６を構成している。つまり、補助加熱器４４は、当該冷媒循環経路Ｌ６において、圧縮機９と凝縮器１０との間に冷媒配管を通じて設けてある。かかる補助加熱器４４は、詳細は後述するが、圧縮機９で圧縮された冷媒が内部を通過して放熱する結果、当該補助加熱器４４の周囲を通過する再生空気を補助的に加熱するものである。
【０１４０】
加熱器４１は、補助加熱器４４で補助的に加熱された再生空気を加熱するものである。この加熱器４１は、配管を通じて加熱源４１ａおよびポンプ４１ｂに接続することにより、例えば湯等の熱媒体が循環する熱媒体循環経路Ｌ４を形成している。加熱源４１ａは、熱媒体循環経路Ｌ４を流れる湯を加熱するものである。ポンプ４１ｂは、湯が熱媒体循環経路Ｌ４を流れるための動力源となるものである。加熱源４１ａで加熱された湯がポンプ４１ｂの作用によって熱媒体循環経路Ｌ４を流れることにより、加熱器４１の周辺を通過する再生空気は加熱される。
【０１４１】
除湿ロータ２０の水分放出領域４２は、加熱器４１で加熱された再生空気が通過することにより、水分吸着素体２１に水分を放出させて乾燥させるための領域である。再生処理ファン４３は、水分放出領域４２を通過した再生空気を再生空気吐出口４０２を通じて外部に送出するものであり、再生空気を送風する送風源となる。
【０１４２】
次に、冷媒循環経路Ｌ６について説明する。かかる冷媒循環経路Ｌ６は、上記構成の他に、第１バイパス経路１６０、第１バイパスバルブ１６１、第１送出バルブ３１１、第１帰還バルブ３１３、第２バイパス経路（短絡経路）１６２、第２バイパスバルブ（短絡バルブ）１６３、第２送出バルブ（第１バルブ）１６４および第２帰還バルブ（第２バルブ）１６５を備えている。
【０１４３】
第１バイパス経路１６０は、凝縮器１０から電子膨張弁３１０に至る経路、すなわち分岐管１１から電子膨張弁３１０に至る経路と、冷却器３１から圧縮機９に至る経路、すなわち冷却器３１から分岐管１３に至る経路とを連通する態様で設けてある。この第１バイパス経路１６０は、凝縮器１０で放熱させた冷媒を導入し、分岐管１３を介して圧縮機９に向けて送出するためのものである。
【０１４４】
第１バイパスバルブ１６１は、第１バイパス経路１６０に配設され、開成する場合には冷媒が通過することを許容する一方、閉成する場合には冷媒が通過することを規制するものである。
【０１４５】
第１送出バルブ３１１は、凝縮器１０から電子膨張弁３１０に至る経路、すなわち分岐管１１から電子膨張弁３１０に至る経路であって、第１バイパス経路１６０との分岐点よりも下流側に配設され、開成する場合には冷媒が通過することを許容する一方、閉成する場合には冷媒が通過することを規制するものである。
【０１４６】
第１帰還バルブ３１３は、冷却器３１から圧縮機９に至る経路、すなわち冷却器３１から分岐管１３に至る経路であって、第１バイパス経路１６０との合流点よりも上流側に配設され、開成する場合には冷媒が通過することを許容する一方、閉成する場合には冷媒が通過することを規制するものである。
【０１４７】
冷却器３１から第１帰還バルブ３１３に至る経路の途中には、圧力調整弁３１２が設けてある。圧力調整弁３１２は、冷却器３１を通過した冷媒の圧力を、冷凍冷蔵機器７の蒸発器８における冷媒の蒸発温度に相当する大きさに調整するものである。
【０１４８】
第２バイパス経路１６２は、圧縮機９から補助加熱器４４に至る経路と、補助加熱器４４から凝縮器１０に至る経路とを連通する態様で設けてある。この第２バイパス経路１６２は、圧縮機９で圧縮された冷媒を導入し、凝縮器１０に向けて送出するためのものである。
【０１４９】
第２バイパスバルブ１６３は、第２バイパス経路１６２に配設され、開成する場合には冷媒が通過することを許容する一方、閉成する場合には冷媒が通過することを規制するものである。
【０１５０】
第２送出バルブ１６４は、圧縮機９から補助加熱器４４に至る経路であって、第２バイパス経路１６２との分岐点よりも下流側に配設され、開成する場合には冷媒が通過することを許容する一方、閉成する場合には冷媒が通過することを規制するものである。
【０１５１】
第２帰還バルブ１６５は、補助加熱器４４から凝縮器１０に至る経路であって、第２バイパス経路１６２との合流点よりも上流側に配設され、開成する場合には冷媒が通過することを許容する一方、閉成する場合には冷媒が通過することを規制するものである。
【０１５２】
これら第１バイパスバルブ１６１、第１送出バルブ３１１、第１帰還バルブ３１３、第２バイパスバルブ１６３、第２送出バルブ１６４および第２帰還バルブ１６５は、それぞれ後述する除湿動作制御部８０から指令が与えられることにより開閉動作するものである。
【０１５３】
図８は、除湿空調装置の制御系を示したものである。この図８に示すように、除湿空調装置１５１は、除湿動作制御部８０を備えている。除湿動作制御部８０は、店舗１の内部を換気等すべき旨の運転指令が発せられた場合、予めメモリ８１に格納してあるプログラムやデータにしたがって、除湿空調装置各部の制御を行うものである。以下、除湿空調装置１５１が店舗１の内部を換気、除湿、空気調和する場合について説明する。尚、以下においては、空調室内器２および冷凍冷蔵機器７のそれぞれに接続された各圧縮機３，９は駆動し、かつ各二方弁６，１４も開成状態で、冷媒循環経路Ｌ１を冷媒が循環しているものとして説明する。
【０１５４】
運転指令が発せられると、除湿動作制御部８０は、モータＭ、除湿処理ファン３３、再生処理ファン４３、加熱源４１ａおよびポンプ４１ｂのそれぞれに駆動指令を出力する。これによりモータＭが駆動して水分吸着素体２１が回転するとともに、除湿処理ファン３３および再生処理ファン４３が駆動する。また、加熱源４１ａで加熱された湯がポンプ４１ｂの作用により熱媒体循環経路Ｌ４を流れる。
【０１５５】
また、除湿動作制御部８０は、電子膨張弁３１０を予め決められた開度となるように開成させるとともに、第１送出バルブ３１１、第１帰還バルブ３１３、第２送出バルブ１６４および第２帰還バルブ１６５も開成させる一方、第１バイパスバルブ１６１を必要に応じて開閉させ、第２バイパスバルブ１６３を閉成させる。
【０１５６】
第１送出バルブ３１１、第１帰還バルブ３１３、第２送出バルブ１６４および第２帰還バルブ１６５が開成される一方、第１バイパスバルブ１６１および第２バイパスバルブ１６３が閉成され、さらに電子膨張弁３１０が予め決められた開度となるように開成されると、圧縮機９で圧縮された冷媒は、補助加熱器４４に至り、該補助加熱器４４で放熱した後に凝縮器１０に移動し、該凝縮器１０で凝縮した後、分岐管１１を介して電子膨張弁３１０に至る。つまり、第１バイパス経路１６０および第２バイパス経路１６２を通過することなく電子膨張弁３１０に至る。電子膨張弁３１０に至った冷媒は、該電子膨張弁３１０で減圧されて断熱膨張し、低温低圧の状態になり、冷却器３１に送出される。冷却器３１に送出された冷媒は、該冷却器３１の周辺領域から熱を与えられて蒸発し、その後、圧力調整弁３１２に至る。圧力調整弁３１２に至った冷媒は、圧力が冷凍冷蔵機器７の蒸発器８における冷媒の蒸発温度に相当する大きさに調整され、その後、分岐管１３を介して圧縮機９に帰還する。すなわち圧縮機９で圧縮され、補助加熱器４４で放熱しかつ凝縮器１０で凝縮した冷媒の一部は、分岐管１１を介して電子膨張弁３１０および冷却器３１を流れ、圧力調整弁３１２で所定の圧力に調整された後に分岐管１３を介して圧縮機９に戻っており、冷媒循環経路Ｌ６を循環している。
【０１５７】
その一方、第１バイパスバルブ１６１が開成される場合には、凝縮器１０で凝縮し、分岐管１１を通過した冷媒のうち一部は、第１バイパス経路１６０を通過し、分岐管１３を経て圧縮機９に帰還する。つまり、第１バイパスバルブ１６１を開閉させることにより、冷却器３１を通過する冷媒量を調整することができる。
【０１５８】
除湿処理ファン３３が駆動することにより、処理空気が処理空気取入口３０１を通じて取り入れられ、取り入れられた処理空気は、冷却器３１に至る。冷却器３１に至った処理空気は、該冷却器３１の内部を流れる冷媒が蒸発することにより冷却され、水分吸着領域３２に至る。その一方、除湿処理ファン３３の駆動により、店舗１の内部の室内空気が空気取入口を通じて取り入れられ、取り入れられた室内空気は、還気導入路Ｒを通過して還気取入口３０３に至る。
【０１５９】
水分吸着領域３２において、処理空気に含有される水分が水分吸着素体２１の対応する部分に吸着され、処理空気の湿度が低下する。すなわち処理空気は除湿される。また、水分吸着素体２１の水分吸着領域３２に対応する部分に吸着された水分は、水分吸着素体２１の回転とともに、水分吸着領域３２から水分放出領域４２に移動する。
【０１６０】
水分吸着領域３２で除湿された処理空気は、除湿処理ファン３３の駆動により下流側に流れ、還気導入路Ｒを通過し還気取入口３０３に至った室内空気と混合して混合拡散されて所定の温湿度に調整された後、混合空気として処理空気吐出口３０２を通じて店舗１の内部に供給される。
【０１６１】
一方、再生処理ファン４３が駆動することにより、再生空気取入口４０１を通じて再生空気が取り入れられ、取り入れられた再生空気は、補助加熱器４４に至る。補助加熱器４４に至った再生空気は、該補助加熱器４４の内部を流れる冷媒が放熱することにより補助的に加熱され、加熱器４１に至る。加熱器４１に至った再生空気は、加熱器４１の内部を流れる湯により加熱されて高温度の空気になり、水分放出領域４２に至る。
【０１６２】
水分放出領域４２において、加熱器４１で加熱された再生空気が通過することにより、水分吸着素体２１の対応する部分から水分が放出され、該再生空気の湿度が上昇する。その後、水分放出領域４２を通過した再生空気は、再生処理ファン４３の駆動により、再生空気吐出口４０２を通じて外部に送出される。
【０１６３】
水分吸着素体２１の水分放出領域４２に対応する部分は、水分が放出されて乾燥するとともに、温度が上昇する。この温度が上昇し、かつ乾燥した水分吸着素体２１の対応部分は、水分吸着素体２１の回転とともに、水分放出領域４２から水分吸着領域３２に移動し、上述した動作を繰り返す。
【０１６４】
つまり、上記除湿空調装置１５１において、除湿処理ユニット３０は、導入した処理空気を冷却器３１で冷却し、冷却した処理空気を水分吸着領域３２に通過させることにより水分吸着素体２１に水分を吸着させて除湿し、除湿した処理空気に還気導入路Ｒを通じて別個に導入した店舗１の内部の室内空気を混合して該店舗１の内部に供給している。また、再生処理ユニット４０′は、導入した再生空気を補助加熱器４４で補助的に加熱した上で、加熱器４１により加熱し、その後水分放出領域４２に通過させることにより水分吸着素体２１に水分を放出させている。
【０１６５】
そして、除湿処理ユニット３０では、導入した処理空気を冷却器３１で冷却することにより、処理空気の相対湿度を上昇させることができる。そのため、相対湿度が高い方が除湿量が高くなる紙やゼオライト等の特性を利用して水分吸着素体２１での吸着水分量を増加させることができる。
【０１６６】
また、水分吸着領域３２を通過する処理空気は、除湿される際に発生する吸着熱により温度が上昇することになる。ところが、かかる外気は、水分吸着領域３２の下流側で、還気導入路Ｒを通じて導入した室内空気と混合されることで、所定の温度に冷却することができる。このように、店舗１の内部に処理空気を供給するので換気を行うことができ、しかも所定の温度に冷却・除湿された空気を供給するので店舗１の内部を良好に除湿することができるとともに適温に調整することができる。
【０１６７】
更に、冷却器３１は、冷凍冷蔵機器７の蒸発器８と共通の圧縮機９および凝縮器１０から供給された冷媒の一部を利用して除湿前の処理空気を冷却するので、除湿空調装置専用の冷凍機、すなわち圧縮機９を要しない。
【０１６８】
一方、再生処理ユニット４０′では、導入した再生空気を補助加熱器４４で補助的に加熱するので、冷媒循環経路Ｌ６を通過する冷媒の排熱を有効に利用することができ、運転効率を向上させることができる。
【０１６９】
ところで、除湿空調装置１５１のメンテナンス時等のような場合に除湿空調装置１５１の運転停止指令が発せられると、除湿動作制御部８０は、モータＭ、除湿処理ファン３３、再生処理ファン４３、加熱源４１ａおよびポンプ４１ｂのそれぞれに駆動停止指令を出力する。これによりモータＭ、除湿処理ファン３３、再生処理ファン４３、加熱源４１ａおよびポンプ４１ｂそれぞれの駆動が停止する。
【０１７０】
また、除湿動作制御部８０は、第１送出バルブ３１１、第１帰還バルブ３１３、第１バイパスバルブ１６１、第２送出バルブ１６４および第２帰還バルブ１６５を閉成させ、第２バイパスバルブ１６３を開成させる。このように第１送出バルブ３１１、第１帰還バルブ３１３、第１バイパスバルブ１６１、第２送出バルブ１６４および第２帰還バルブ１６５が閉成される一方、第２バイパスバルブ１６３が開成されると、圧縮機９で圧縮された冷媒は、第２バイパス経路１６２を通過した後に凝縮器１０に至り、当該凝縮器１０で凝縮した後、分岐管１１および開成状態となっている二方弁１４を通じて膨張弁１２に至る。膨張弁１２に至った冷媒は、該膨張弁１２で減圧されて断熱膨張し、低温低圧の状態になり、蒸発器８に送出される。蒸発器８に送出された冷媒は、該蒸発器８の周辺領域から熱を与えられて蒸発し、その後、圧縮機９に帰還する。つまり、冷媒は、冷媒循環経路Ｌ２のみを循環する。
【０１７１】
従って、除湿空調装置１５１のメンテナンス時のように該除湿空調装置１５１の運転を停止する場合には、第２バイパスバルブ１６３を開成させる一方、第１送出バルブ３１１、第１帰還バルブ３１３、第１バイパスバルブ１６１、第２送出バルブ１６４および第２帰還バルブ１６５を閉成させることにより、圧縮機９で圧縮された冷媒は、第２バイパス経路１６２を経由して凝縮器１０で凝縮した冷媒を、すべて冷媒循環経路Ｌ２のみに循環させることができる。これにより除湿空調装置１５１の運転を停止する必要がある場合にも圧縮機９を停止させる必要はない。この結果、除湿空調装置１５１の運転にかかわらず、圧縮機９を運転させておくことが可能になり、冷凍冷蔵機器７に陳列させた商品を継続して冷却することができ、当該商品の鮮度低下等を招来する虞れがない。換言すると、冷凍冷蔵機器７の運転に関係なく、除湿空調装置１５１のメンテナンスを行うことが可能になる。
【０１７２】
また、除湿空調装置１５１によれば、第１バイパスバルブ１６１を開閉させることにより、冷却器３１を通過する冷媒量を調整することができるので、要求される能力に応じて冷却器３１を通過する冷媒量を制御することが可能になる。
【０１７３】
更に、除湿空調装置１５１によれば、除湿前の処理空気を冷却器３１で冷却することにより、当該処理空気の相対湿度を上昇させて水分吸着素体２１での吸着水分量を増加させることができるので、除湿ロータ２０の除湿量の向上を図ることができる。また、冷却器３１は、冷凍冷蔵機器７に供給される冷媒の一部を利用して除湿前の処理空気を冷却することにより、除湿空調装置専用の冷凍機を必要としないため、装置全体の大型化を抑制することができる。
【０１７４】
また、除湿空調装置１５１によれば、冷凍冷蔵機器７を構成する蒸発器８の負荷が小さい場合には、圧縮機９の余剰冷熱を有効に活用できるため、圧縮機９の運転効率が良好な状態で運転させることができ、装置全体の省エネルギー化を図ることができる。
【０１７５】
また更に、除湿空調装置１５１によれば、水分吸着領域３２の下流側で除湿した処理空気と別個に導入した店舗１の内部空気とを混合させるようにしたので、除湿ロータ２０での除湿処理空気量の増大化を招来する虞れがなく、これにより除湿ロータ２０での除湿処理空気量の増大なく除湿した所定の温度に冷却された空気を店舗１の内部へ供給することができる。
【０１７６】
以上、本発明の好適な実施の形態１〜４について説明したが、本発明はこれらに限定されずに種々の変更を行うことができる。例えば、図９に示すように、除湿空調装置１５２は、第１バイパスバルブ１６１の代わりに、通過する冷媒の流量調整が可能な冷媒流量調整バルブ１６６を設けた冷媒循環経路Ｌ６′を有していても良い。このような冷媒流量調整バルブ１６６を設けることにより、除湿空調装置１５２と冷凍冷蔵機器７との負荷が異なる場合に、当該バルブを用いて流量調整を行うことにより、無駄なエネルギーの消費を抑制することができ、省エネルギー運転を図ることができる。
【０１７７】
また、上述の実施の形態３および実施の形態４では、運転停止指令が発せられる場合として、除湿空調装置１５０，１５１のメンテナンス時について説明したが、本発明では、運転停止指令の発せられる場合は、メンテナンス時に限られることはない。
【産業上の利用可能性】
【０１７８】
以上のように、本発明は、例えばスーパーマーケット、コンビニエンスストア、ショッピングセンター等の店舗に適用され、店舗内への外気導入による換気、除湿、空気調和の各機能を有する除湿空調装置として有用である。
【図面の簡単な説明】
【０１７９】
【図１】本発明の実施の形態１における除湿空調装置の構成を模式的に示した模式図である。
【図２】図１に示した除湿空調装置の制御系を示すブロック図である。
【図３】本発明の実施の形態２における除湿空調装置の構成を模式的に示した模式図である。
【図４】図３に示した除湿空調装置の制御系を示すブロック図である。
【図５】本発明の実施の形態３における除湿空調装置の構成を模式的に示した模式図である。
【図６】図５に示した除湿空調装置の制御系を示すブロック図である。
【図７】本発明の実施の形態４における除湿空調装置の構成を模式的に示した模式図である。
【図８】図７に示した除湿空調装置の制御系を示すブロック図である。
【図９】本発明における除湿空調装置の変形例の構成を模式的に示した模式図である。
【符号の説明】
【０１８０】
９        圧縮機
１０      凝縮器
１５，１５′，１５０，１５１，１５２      除湿空調装置
２０      除湿ロータ
２１      水分吸着素体
３０      除湿処理ユニット
３１      冷却器
３１０    電子膨張弁
３１１    第１送出バルブ
３１２    圧力調整弁
３２      水分吸着領域
４０      再生処理ユニット
４１      加熱器
４２      水分放出領域
４４      補助加熱器
１６０    第１バイパス経路
１６１    第１バイパスバルブ
１６２    第２バイパス経路
１６３    第２バイパスバルブ
Ｌ３，Ｌ３′，Ｌ５，Ｌ６，Ｌ６′      冷媒循環経路
【図１】
2007255882.tif 000003
【図２】
2007255882.tif 000004
【図３】
2007255882.tif 000005
【図４】
2007255882.tif 000006
【図５】
2007255882.tif 000007
【図６】
2007255882.tif 000008
【図７】
2007255882.tif 000009
【図８】
2007255882.tif 000010
【図９】
2007255882.tif 000011